(57)【要約】      （修正有）【課題】本発明は、回転駆動装置に関する。【解決手段】回転駆動装置は、ハウジング要素１２と、ハウジング要素に回転可能に取り付けられている駆動シャフト１６と、ハウジング要素に回転可能に取り付けられている従動シャフト１８と、駆動シャフトから従動シャフトにトルクを伝達させるための伝達装置２０とを備えており、伝達装置が、制動力によって駆動シャフトの回転を妨げるように構成されている制動装置３０を備えており、カップリング要素が第１の位置に位置している場合に、制動装置によって作用される制動力が、カップリング要素が第２の位置に位置している場合よりも大きい、カップリング要素とを備えており、第１の位置から第２の位置に至るカップリング要素の調整が、駆動シャフトと従動シャフトとの間におけるトルク差についての第１の閾値を超えることによって開始されるように、カップリング要素が、従動シャフトに配設されている。【選択図】図１
2018031474.tif 000002
【特許請求の範囲】
【請求項１】
ハウジング要素（１２）と、
前記ハウジング要素（１２）に回転可能に取り付けられている駆動シャフト（１６）と、
前記ハウジング要素（１２）に回転可能に取り付けられている従動シャフト（１８）と、
前記駆動シャフト（１６）から前記従動シャフト（１８）にトルクを伝達させるための伝達装置（２０）と、
を備えている回転駆動装置において、
前記伝達装置（２０）が、制動力によって前記駆動シャフト（１６）の回転を妨げるように構成されている制動装置（３０）を備えており、
前記制動装置（３０）が、
前記駆動シャフト（１６）に設けられており、これにより回転駆動可能とされる入力要素（３２）と、
共に回転するように前記ハウジング要素（１２）に接続されている制動要素（３４）と、
第１の位置と第２の位置との間において前記入力要素（３２）に関して調整可能とされるカップリング要素（３６）であって、前記カップリング要素（３６）が前記第１の位置に位置している場合に、前記制動装置（３０）によって作用される前記制動力が、前記カップリング要素（３６）が前記第２の位置に位置している場合よりも大きい、前記カップリング要素（３６）と、
を備えており、
前記第１の位置から前記第２の位置に至る前記カップリング要素（３６）の調整が、前記駆動シャフト（１６）と前記従動シャフト（１８）との間におけるトルク差についての第１の閾値を超えることによって開始されるように、前記カップリング要素（３６）が、前記従動シャフト（１８）に配設されていることを特徴とする回転駆動装置。
【請求項２】
前記制動装置（３０）を介して所定の制動力を作用させるための複数の前記第２の位置が、前記カップリング要素（３６）のために設けられており、
前記カップリング要素（３６）が、前記駆動シャフト（１６）と前記従動シャフト（１８）との間におけるトルク差が大きくなった場合に制動力を小さくする第２の位置に移動するように構成されていることを特徴とする請求項１に記載の回転駆動装置。
【請求項３】
複数の前記第２の位置が、制動力の勾配を有している連続的な領域によって形成されており、
前記カップリング要素（３６）が、前記駆動シャフト（１６）と前記従動シャフト（１８）との間におけるトルク差が大きくなった場合に制動力を小さくする方向に向かって前記連続的な領域を貫通するように構成されていることを特徴とする請求項２に記載の回転駆動装置。
【請求項４】
前記第２の位置から前記第１の位置に至る前記カップリング要素（３６）の調整が、前記駆動シャフト（１６）と前記従動シャフト（１８）との間におけるトルク差についての第２の閾値を下回ることによって開始されるように、前記カップリング要素（３６）が、前記従動シャフト（１８）に配設されていることを特徴とする請求項１〜３のいずれか一項に記載の回転駆動装置。
【請求項５】
前記伝達装置（２０）が、前記駆動シャフト（１６）に共に回転及び静止するように接続されている駆動伝達要素（２２）と、前記従動シャフト（１８）に共に回転及び静止するように接続されている従動伝達要素（２６）とを備えており、これにより、前記駆動シャフト（１６）が、前記従動シャフト（１８）に沿って移動可能とされ、前記カップリング要素（３６）が、前記従動伝達要素（２６）に共に回転及び静止するように接続されていることを特徴とする請求項１〜４のいずれか一項に記載の回転駆動装置。
【請求項６】
前記駆動伝達要素（２２）と前記従動伝達要素（２６）とが、少なくとも１組の協働斜面（２２ａ，２６ａ）を備えており、少なくとも１組の前記協働斜面（２２ａ，２６ａ）が、前記駆動伝達要素（２２）と前記従動伝達要素（２６）との相対的な回転を前記駆動シャフト（１８）に沿った前記従動伝達要素（２６）の移動に変換するように構成されていることを特徴とする請求項５に記載の回転駆動装置。
【請求項７】
前記駆動伝達要素（２２）と前記従動伝達要素（２６）との相対的な回転が、例えば前記駆動伝達要素（２２）及び前記従動伝達要素（２６）に配設されている少なくとも１組の前記協働斜面（２２ａ，２６ａ）によって、所定の角度に制限されることを特徴とする請求項６に記載の回転駆動装置。
【請求項８】
例えばコイルバネのような弾性要素（３８）が、前記従動伝達要素（２６）にプレストレスを前記駆動伝達要素（２２）に向かって作用させるように設けられていることを特徴とする請求項５〜７のいずれか一項に記載の回転駆動装置。
【請求項９】
前記弾性要素（３８）が、前記駆動シャフト（１６）に配設されているサポート要素（２４）と前記従動シャフト（１８）に配設されている要素、特にカップリング要素（３６）との両方に支持されていることを特徴とする請求項８に記載の回転駆動装置。
【請求項１０】
前記制動装置（３０）の前記入力要素（３２）が、前記駆動シャフト（１６）に配設されている前記サポート要素（２４）に装着されていることを特徴とする請求項９に記載の回転駆動装置。
【請求項１１】
前記駆動シャフト（１６）及び任意に歯車装置、特に遊星歯車装置（２８）を駆動するモータ（１４）が、前記ハウジング要素（１２）の内側に配置されていることを特徴とする請求項１〜１０のいずれか一項に記載の回転駆動装置。
【請求項１２】
請求項１〜１１のいずれか一項に記載の回転駆動装置と前記従動シャフト（１８）の回転運動を長手方向運動に変換するための装置とを備えていることを特徴とする可変長装置。
【発明の詳細な説明】
【技術分野】
【０００１】
本発明は、ハウジング要素と、ハウジング要素に回転可能に取り付けられている駆動シャフトと、ハウジング要素に回転可能に取り付けられている従動シャフトと、駆動シャフトから従動シャフトにトルクを伝達させるための伝達装置と、を備えている回転駆動装置に関する。
【０００２】
このタイプの回転駆動装置は一般に知られている。当該回転駆動装置は、従動シャフトに回転トルクを付与することによって上位構成の他の構成部品を駆動するために利用可能とされるか、又は、例えばウォーム歯車等のような、従動シャフトの回転運動を長手方向運動に変換するための装置と協働して利用可能とされる。駆動シャフトの回転運動が従動シャフトによって変換される可変長ユニットと、可変長ユニットの長さを変化させるために回転運動を長手方向運動に変換するための装置とが、例えばエンジンボンネット、テールゲート、荷物室蓋、ドア、及び類似する回動可能とされる要素を開閉するために、特に自動車両において利用される。
【背景技術】
【０００３】
しかしながら、一般に知られる装置には、駆動シャフトと従動シャフトとの間におけるトルク差に従って回転駆動装置の駆動シャフト又は従動シャフトの回転運動に対して制動力を付与する機構が設けられていない。しかしながら、特定の回転駆動装置に対してニーズが存在することが判明している。特定の回転駆動装置では、トルク差が増大する場合に、駆動シャフトと従動シャフトとの間における上述のトルク差に従って制動力が低減される。これにより、駆動シャフトと従動シャフトとの間における、すなわち、例えば駆動シャフトに設けられたモータと従動シャフトに設けられた被駆動部品との間における“応力（stress）”が小さい場合に、回転駆動が強く制動される一方、上述の部品同士の間における“応力”が大きい場合に、制動効果が低減されるか、又は完全に失われる。
【発明の概要】
【発明が解決しようとする課題】
【０００４】
従って、本発明の目的は、このタイプの制動特性を有している回転駆動装置であって、単純且つ高信頼の構造を有していると共に良好なコスト効果で製造可能とされ、既知のモータ及び歯車装置組立体を変更することなく利用可能とされる回転駆動装置を提供することである。
【０００５】
当該目的は、伝達装置が、制動力によって駆動シャフトの回転を妨げるように構成されている制動装置を備えており、制動装置が、駆動シャフトに設けられている入力要素であって、回転駆動可能とされる入力要素と、共に回転するようにハウジング要素に接続されている制動要素と、第１の位置と第２の位置との間において入力要素に関して調整可能とされるカップリング要素であって、カップリング要素が第１の位置に位置している場合に、制動装置によって作用される制動力が、カップリング要素が第２の位置に位置している場合よりも大きい、カップリング要素と、を備えており、第１の位置から第２の位置に至るカップリング要素の調整が、駆動シャフトと従動シャフトとの間におけるトルク差についての第１の閾値より大きくなることによって開始されるように、カップリング要素が、従動シャフトに配設されている、上述のタイプの回転駆動装置によって達成される。
【０００６】
上述の単純な構成とされる制動装置を伝達装置に設けることによって、僅かに数個の構成部品のみから成る単純な構造で回転駆動装置の上述の制動特性を実現することができる。既知の一般的な回転駆動装置と比較して、回転駆動装置のモータ組立体及び歯車装置のいずれも改良する必要がないからである。
【０００７】
この場合には、駆動シャフトと従動シャフトとの間におけるトルク差が第１の閾値を下回る限り、とりわけ、駆動シャフトが動作不能である場合であっても、第１の制動力が回転駆動装置に作用する。また、第１の閾値を上回る場合には、第１の位置から第２の位置に至るカップリング要素の調整が開始される。この場合には、第１の閾値が特に零であることに留意すべきである。このことは、特に以下に説明する、制動力を低減させる連続的な領域が設けられた実施例において重要である。
この場合には、トルク差が最小であっても、当該連続的な領域のスイープを開始することができる。
【０００８】
本発明では、所定の制動力が制動装置によって作用される複数の第２の位置がカップリング要素のために設けられている。さらに、カップリング要素は、駆動シャフトと従動シャフトとの間におけるトルク差が大きくなった場合に制動力を低減させる第２の位置に移行するように構成されている。このために、第１の位置に加えて、対応する第１の閾値が、（最小の制動力を有する第２の位置を除いて）第２の位置それぞれにも割り当てられている。カップリング要素は、第１の閾値を超えた場合に、２番目に小さい制動力の値を有する第２の位置に移動する。このようにして、回転駆動装置の制動特性を徐々に大きくすることができ、制動力は、駆動シャフトと従動シャフトとの間におけるトルク差が大きくなった場合に、より小さい値に移行する。この場合には、第２の位置同士の間における制動力の増加量を、例えば直線に従って又は漸進的に若しくは徐々に減少するように自在に選択可能とされる。
【０００９】
付加的又は代替的には、複数の第２の位置が、制動力の勾配を有している連続的な領域によって少なくとも部分的に形成されており、カップリング要素は、駆動シャフトと従動シャフトとの間におけるトルク差が大きくなった場合に連続的な領域を通過するように構成されている。当該発展形態では、駆動シャフトと従動シャフトとの間におけるトルク差が大きくなった場合に制動力を連続的に小さくすることによって、滑らかな制動特性を発生させ、これにより、従動シャフトのぎくしゃくした回転特性の発生を防止することができる。
【００１０】
従って、このタイプの回転駆動装置の特徴は、特に静粛性に優れた動作と特に俊敏な応答性である。
【００１１】
制動力を小さくするための連続的な領域についての一の例示的な実施例は、トルク差が大きくなった場合に制動要素とカップリング要素との間における接触圧力が連続的に小さくなるように形成されている。制動要素とカップリング要素とは、初期に互いに対して最小限度に限り変位されるので、弾性変形に起因する接触を維持することができる。当該実施例では、トルク差が特定の値より大きくなると、制動要素とカップリング要素とはもはや接触しなくなる。その結果として、制動装置が解放され、制動力が減少し、零に至る。この場合には、制動力を小さくするための連続的な領域と、制動要素とカップリング要素とが全く接触していない構成との両方が、それぞれ第２の位置に対応している。
【００１２】
本発明における回転駆動装置の一の発展形態では、カップリング要素が、駆動シャフトと従動シャフトとの間におけるトルク差が第２の閾値を下回ることによって第２の位置から第１の位置に至るカップリング要素の調整が開始されるように、従動シャフトに設けられている。
【００１３】
このようにして、カップリング要素が第２の位置を占めた後に、駆動シャフトと従動シャフトとの間におけるトルク差が上述の第２の閾値を下回るまで、カップリング要素が第１の位置に位置する場合における上述の第１の制動力より小さい、一定の第２の制動力が作用される。このようにして、トルク差が第１の閾値の近傍で僅かに変化した場合に、カップリング要素が繰り返し第１の位置から第２の位置に移動し第１の位置に戻ることが防止される。これにより、回転駆動装置の不連続なすなわちぎくしゃくした制動特性となり、ひいては従動シャフトの運動特性における衝撃が大きくなる。
【００１４】
さらに、任意には、同様に第２の閾値が、所定の制動力を有している特定の第２の位置に到達した場合に、第２の閾値を下回った後に限り、より大きい制動力を有している隣り合う位置に戻ることが実現するように、複数の第２の位置にそれぞれ割り当てられている。これにより、複数の第２の位置それぞれにおける隣り合う位置同士の間において時々跳ぶことによって、不連続な制動特性を回避するという上述の利点を確実に発揮させることができる。
【００１５】
一の実施例では、伝達装置が、駆動シャフトに共に回転及び静止するように接続されている駆動伝達要素と、従動シャフトに共に回転するように且つ従動シャフトに沿って変位するように接続されている従動伝達要素とをさらに備えており、カップリング要素が、従動伝達要素に共に回転及び静止するように接続されている。このような構成は、カップリング要素を相違する位置同士の間で変位させる従動伝達要素を相違する位置同士の間で平易させるという、ひいては、回転駆動装置の所望の制動特性を実現するという特に単純なオプションを提示している。
【００１６】
一の発展形態では、駆動伝達要素と従動伝達要素とが、駆動伝達要素及び従動伝達要素の相対的回転を従動シャフトに沿った従動伝達要素の変位に変換するように構成されている少なくとも１組の対応する傾斜面を備えている。このようにして、駆動シャフトと従動シャフトとの間におけるトルク差によって開始される互いに対する傾斜面の滑動によって、従動シャフトに沿った従動伝達要素の変位、ひいては制動要素に対するカップリング要素の変位が実現される。
【００１７】
この場合には、駆動伝達要素と従動伝達要素との相対的な回転が、例えば少なくとも１組の駆動伝達要素及び従動伝達要素に設けられた協働ストッパによって、所定の最大角度に制限される。このようにして、最初に、制動要素に対するカップリング要素の変位についての終端位置が設けられ、第二に、駆動伝達要素と従動伝達要素との間における滑動ひいては駆動シャフトと従動シャフトとの間における滑動が防止される。
【００１８】
従動伝達要素と駆動伝達要素とは、休止状態において、互いに対して所定の位置関係にあり、回転駆動装置の動作が停止した場合に、所定の位置関係に戻る。第二に、最大作動制動力を決定するために、従動伝達要素に駆動伝達要素に向かってプレストレスを作用させる、例えばコイルバネのような弾性要素が設けられている。
【００１９】
このために、特に弾性要素は、駆動シャフトに設けられたサポート要素と従動シャフトに設けられた要素、特にカップリング要素との両方に支持されている。さらに、特に制動装置の入力要素が、駆動シャフトに設けられたサポート要素に装着されている。このような構成によって、本発明における回転駆動装置のための制動装置を備えている伝達装置は、最小数の必須構成部品を備えている。
【００２０】
さらに、本発明における回転駆動装置の一の発展形態では、駆動シャフトを駆動するモータと任意には歯車装置、特に遊星歯車装置とが、同様にハウジング要素の内側に配置されている。この場合には、歯車装置が駆動シャフト及び従動シャフトの両方に設けられており、本発明における制動装置は、従動シャフトに設けられた歯車装置と組み合わせされると特に優位である。
【００２１】
最後に、本発明は、本発明における回転駆動装置を備えている可変長装置に、及び、従動シャフトの回転運動を長手方向運動に変換するための装置に関する。
【００２２】
本発明のさらなる特徴及び優位点については、添付図面を参照しつつ以下の説明から明らかとなる。
【図面の簡単な説明】
【００２３】
【図１】本発明における回転駆動装置の一の実施例についての長手方向断面図である。
【図２ａ】第１の位置における伝達装置の領域についての、図１表わす実施例の拡大図である。
【図２ｂ】第２の位置における伝達装置の領域についての、図１表わす実施例の拡大図である。
【図３ａ】図１、図２ａ、及び図２ｂに表わす実施例における駆動伝達要素及び従動伝達要素の拡大図である。
【図３ｂ】図１、図２ａ、及び図２ｂに表わす実施例における駆動伝達要素及び従動伝達要素の拡大図である。
【図４】伝達装置の領域についての、図１に表わす長手方向断面を別角度から見た斜視図である。
【発明を実施するための形態】
【００２４】
図１は、本発明における回転駆動装置１０の一の実施例を表わす。回転駆動装置１０は、ラジアル方向Ｒ及び長手方向Ｌを有している円筒状のハウジング要素１２を備えており、ハウジング要素１２は、モータ組立体１４と、モータ組立体１４によって駆動可能とされる駆動シャフト１６と、従動シャフト１８と、駆動シャフト１６から従動シャフト１８にトルクを伝達するための伝達装置２０とを内蔵している。この場合には、モータ組立体１４は、既知の電動式回転モータとされるが、必要であれば、モータ組立体１４と駆動シャフト１６との間に他の歯車装置ユニットを設けることもできる。
【００２５】
駆動伝達要素２２が、駆動シャフト１６に配置されており、駆動シャフト１６と共に回転及び静止するように取り付けられている。駆動シャフト１６から見て、サポート要素２４は、さらにラジアル方向外方において駆動シャフト１６に配置されており、同様に駆動シャフト１６と共に回転及び静止するように駆動シャフト１６に接続されている。窪み状の凹所Ａは、ラジアル方向Ｒ及び長手方向Ｌにおいて延在しており、駆動伝達要素２２とサポート要素２４との間に形成されている。
【００２６】
駆動伝達要素２２の相補的な部品として、従動伝達要素２６が、従動シャフト１８に配設されており、凹所Ａに収容されており、従動シャフト１８と共に回転されるが、長手方向Ｌにおいて従動シャフト１８に対して所定距離だけ変位可能とされるように保持されている。このような変位を実現するための機構については、以下に詳述する。従動伝達要素２６は、例えば協働する舌部及び溝部から成る少なくとも１つの組によって、回転不能であるが長手方向に変位可能に従動シャフト１８に収容されている。
【００２７】
同時に、従動シャフト１８が、伝達装置２０から遠位の側において、遊星歯車装置２８のための入力シャフトとして利用される。これにより、既知の方法によって従動シャフト１８の回転が減速されるので、出力シャフト２８ｂが従動シャフト１８と比較して低い速度及び大きいトルクで駆動される。さらに、制動装置３０は伝達装置２０に設けられているが、これについては、図２ａ及び図２ｂを参照しつつ説明する。
【００２８】
この場合、図２ａは制動装置３０の第１の位置を表わし、図２ｂは制動装置３０の第２の位置を表わす。第一に、制動装置３０は、駆動シャフト１６に設けられており、これにより回転駆動可能とされる入力要素３２と、共に回転するようにハウジング要素１２に接続されている制動要素３４と、従動伝達要素２６に設けられているカップリング要素３６とを備えている。この場合、カップリング要素３６は、従動伝達要素２６と共に回転及び静止するように従動伝達要素２６に保持されている。さらに、制動装置３０は、突起２４ｂを介してカップリング要素３６及びサポート要素２４の両方に支持されているコイルバネ３８を備えている。本発明では、コイルバネ３８は弾性要素を形成している。
【００２９】
図２ａに表わす構成では、駆動シャフト１６と従動シャフト１８との間におけるトルク差は非常に小さい。また、特に図２ａは、回転駆動装置１０のアイドル状態を表わす。この場合、コイルバネ３８によって、カップリング要素３６は制動要素３４に対して押圧されており、その結果として、カップリング要素３６から遠位の制動要素３４の側部が入力要素３２を押圧する一方、コイルバネ３８によって、従動伝達要素２６は駆動伝達要素２２に対して押圧されている。
【００３０】
駆動伝達要素２２と従動伝達要素２６とが、図３ａ及び図３ｂを参照して以下に説明する傾斜面を有しているので、図２ａに表わす位置において、トルクが、駆動伝達要素２２及び従動伝達要素２６を介して、駆動シャフト１６と従動シャフト１８との間において伝達される。しかしながら、この場合には、カップリング要素３６を制動要素３４に対して、ひいては制動要素３４を入力要素３２に対して押圧することによって、入力シャフト１６の回転を妨げる制動力が発生する。特にモータ組立体１４がアイドル状態にある場合には、従動シャフト１９の回転が、上述の制動力によって妨げられるので、回転駆動装置１０は、制動装置３０によって自動的にロックされる。
【００３１】
図１に表わす図にも対応する図２ｂに表わす状態を明確にするために、駆動伝達要素２２及び従動伝達要素２６それぞれを表わす図３ａ及び図３ｂを先行して参照する。図３ａ及び図３ｂそれぞれに表わす駆動伝達要素２２及び従動伝達要素２６それぞれの態様は、斜めから見た駆動伝達要素２２と従動伝達要素２６との接触領域に対応する斜視図である。
【００３２】
駆動伝達要素２２と従動伝達要素２６とはそれぞれ、傾斜面２２ａ，２６ａを備えており、トルクが、傾斜面２２ａ，２６ａを介して、駆動伝達要素２２と従動伝達要素２６との間において、ひいては駆動シャフト１６と従動シャフト１８との間において伝達可能とされる一方、傾斜面２２ａ，２６ａは、駆動伝達要素２２及び従動伝達要素２６を長手方向Ｌにおいて互いに対して相対的に移動させることができる。さらに、駆動伝達要素２２及び従動伝達要素２６は、協働ストッパ２２ｂ，２６ｂを備えており、図４を参照して後述するように、協働ストッパ２２ｂ，２６ｂが共に、駆動伝達要素２２と従動伝達要素２６との間における相対的な回転角度を規定しており、当該相対的な回転角度が最大となった場合に、トルクが、駆動伝達要素２２と従動伝達要素２６との間において伝達される。
【００３３】
コイルバネ３８によって駆動伝達要素２２と従動伝達要素２６が互いに対して押圧される、図２ａに表わす位置において、駆動伝達要素２２の斜面２２ａの突出領域２２ａ１が、従動伝達要素２６の傾斜面２６ａの凹状領域２６ａ２に高精度で挿入される一方、従動伝達要素２６の傾斜面２６ａの突出領域２６ａ１は、駆動伝達要素２２の斜面２２ａの凹状領域２２ａ２に挿入される。上述のように、この場合には駆動シャフト１６と従動シャフト１８との間におけるトルク差が小さいので、コイルバネ３８による押圧の影響を受けて、協働する傾斜面２２ａ，２６ａを介してトルクを伝達させることができる。
【００３４】
しかしながら、トルク差が、とりわけコイルバネ３８の剛性によって決定される第１の閾値より大きくなった場合には、協働する傾斜面２２ａ，２６ａが、コイルバネ３８の押圧の反対方向である回転方向において互いに対して滑動する。その結果として、駆動伝達要素２２と従動伝達要素２６とが互いに対して相対的に軸線方向に移動され、従動伝達要素２６は長手方向Ｌにおいて駆動シャフト１６から離隔するように従動シャフト１８に沿って移動する。このような移動は、上述の舌部（突出領域）及び溝部（凹状領域）から成るシステムによって実現される。この場合には、カップリング要素３６と制動要素３４との間における接触圧力が初めて小さくなるとすぐに、従動伝達要素２６は、従動伝達要素２６に堅固に接続されているカップリング要素３６に沿って輸送される。このプロセスの際に、制動装置３０によって作用される制動力は連続的に低減される。図２ｂは、カップリング要素３６と制動要素３４とがもはや接触していない状態を表す。
【００３５】
図２ａ及び図２ｂはそれぞれ、従動伝達要素２６を良好に表すために、同一の角度方向から見た図である。図２ａ及び図２ｂでは、駆動伝達要素２２及び従動伝達要素２６の協働ストッパ２２ｂ，２６ｂが接触し、且つ、トルクが駆動シャフト１６と従動シャフト１８との間において略完全に伝達されるように、駆動伝達要素２２が従動伝達要素２６に対して相対的に回転される。図４は、明確にするために、２つの協働ストッパ２２ｂ，２６ｂの互いに対するこのような当接を表す。この場合には、駆動シャフト１６が時計回りに回転するので、その結果として、協働ストッパ２２ｂが協働ストッパ２６ｂを押圧し、これにより駆動シャフト１６の駆動トルクが、駆動シャフト１６に堅固に接続されている駆動伝達要素２２を介して、従動伝達要素２６ひいては従動シャフト１８に伝達される。
【００３６】
駆動シャフト１６と従動シャフト１８との間におけるトルク差が再び十分に小さくなるとすぐに、例えば駆動プロセスの最後において、コイルばね３８の効果によって、再び駆動伝達要素２２及び従動伝達要素２６が、協働する斜面２２ａ，２６ａに沿って滑動し、図２ａに表す位置に復帰する。
【符号の説明】
【００３７】
１０      回転駆動装置
１２      ハウジング要素
１４      モータ組立体
１６      駆動シャフト
１８      従動シャフト
２０      伝達装置
２２      駆動伝達要素
２２ａ    （駆動伝達要素の）斜面
２２ａ１  （駆動伝達要素の斜面の）突出領域
２２ａ２  （駆動伝達要素の斜面の）凹状領域
２２ｂ    （駆動伝達要素の）協働ストッパ
２４      サポート要素
２６      従動伝達要素
２６ａ    （従動伝達要素の）斜面
２６ａ１  （従動伝達要素の斜面の）突出領域
２６ａ２  （従動伝達要素の斜面の）凹状領域
２６ｂ    （従動伝達要素の）協働ストッパ
２８      遊星歯車装置
２８ｂ    出力シャフト
３０      制動装置
３２      入力要素
３４      制動要素
３６      カップリング要素
３８      コイルバネ
Ｌ      （回転駆動装置１０に関する）長手方向
Ｒ      （回転駆動装置１０に関する）ラジアル方向
Ａ      凹所
【図１】
2018031474.tif 000003
【図２ａ】
2018031474.tif 000004
【図２ｂ】
2018031474.tif 000005
【図３ａ】
2018031474.tif 000006
【図３ｂ】
2018031474.tif 000007
【図４】
2018031474.tif 000008
【外国語明細書】
2018031474000001.pdf